【事件の表示】
　平成　６年特許願第１７１８５５号「ディスク再生装置の制御方法」拒絶査定に対する審判事件〔平成　８年　１月２３日出願公開、特開平　８−　２２６３２、請求項の数（１）〕について、次のとおり審決する。
【結　論】
　原査定を取り消す。
　本願の発明は、特許すべきものとする。
【理　由】
１．手続の経緯・本願発明
　本願は、平成６年６月３０日の出願であって、その請求項に係る発明は、審判請求と同時に補正された明細書及び図面の記載からみて、特許請求の範囲の請求項１に記載された事項により特定される次のとおりのものと認める。（以下「本願発明」という。）
「２枚以上のディスクが収納され、ディスク搬送手段により１枚のディスクが装着されると再生動作を行う複数のドライブ装置を有するディスク再生装置の制御方法において、
　前記ディスク搬送手段により第１のドライブ装置に１枚のディスクを装着し、
　前記第１のドライブ装置が有するピックアップの受光部が前記ディスクから光信号を受光し、前記受光部の受光により光信号検出回路が受光量を判別し、
　該受光量が所定の光量以下と判別した場合は、前記ディスク搬送手段により前記ディスクを前記第１のドライブ装置から第２のドライブ装置に搬送して装着し、
　前記第２のドライブ装置においても受光量が所定の光量以下と判別した場合は、装置が前記ディスクの掃除を警告する表示を行うと共に前記第２のドライブ装置で前記ディスクを再生し、
　前記第２のドライブ装置において受光量が所定の光量以下を判別しない場合は、装置内の記憶部に記憶している前記第１のドライブ装置についてのカウント値を１つ更新し、
　前記カウント値が所定値を越えた場合は、装置が前記第１のドライブ装置が有するピックアップのレンズの掃除を警告する表示を行うと共に前記ディスクを前記第２のドライブ装置により再生し、
　前記カウント値が所定値を越えない場合は、そのまま前記ディスクを前記第２のドライブ装置により再生する
　ことを特徴とするディスク再生装置の制御方法。」
　
２．原査定の拒絶の理由の概要
　これに対して原査定の拒絶の理由の概要は、本願発明は、下記の刊行物に記載された発明に基づいて当業者が容易に発明をすることができたものであるから特許法第２９条第２項の規定により特許を受けることができない、というものである。
　
３．引用刊行物に記載された発明の概要
　特開昭６１−２４２３４８号公報（以下「引用刊行物１」という。）には次の事項からなる発明が記載されている。
「情報信号が記録された光ディスクから光学式ピックアップを用いて前記情報信号を再生する光学式ディスク再生装置において、前記光学式ピックアップの出力信号が再生状態で所定時間以上所定レベル以下に低下していることを検出することにより前記光学式ピックアップの光学系の汚れや結露の付着の度合いを検出する状態検出回路と、この状態検出回路の検出状態に基づいて表示素子を点灯及び消灯制御する表示回路とを具備したことを特徴とする光学式ディスク再生装置。」（特許請求の範囲）
　特開平３−１１３７２４号公報（以下「引用刊行物２」という。）には次の事項からなる発明が記載されている。
「画像情報を記憶する光ディスク装置と、画像情報／制御情報を表示する表示手段と、制御の指示を行う制御指示入力手段と、画像情報を制御する制御部とを具備し、画像処理機能を有する電子ファイルシステムにおいて、書込み時に、書込エラーセクターに対する交替セクター回数を管理し、所定回数を超えたとき、異常警報を発生する管理・異常警報発生手段と、前記光ディスク装置のデータ記憶領域の外側に設けられて、ピックアップ部の清掃を行う清掃手段、とを備え、システムの電源投入等の初期化時に、前記光ディスク装置に対して異常書込み終了警告を通告する交替セクター回数を予め指定し、登録処理などの書込み処理において、前記制御部から書込みコマンドを出力し、これに対応して前記管理・異常警報発生手段から異常書込み終了警告が返送されたとき、該制御部がほこり等の付着による異常が発生したと判断し、前記清掃手段に指示して光ディスク装置のピックアップ部の清掃を行うことを特徴とする光ディスク装置を備えた電子ファイル装置。」（特許請求の範囲の請求項１）
　特開平５−５４５１３号公報（以下「引用刊行物３」という。）には次の事項からなる発明が記載されている。
「このように本発明の実施例のオートチェンジャ装置によれば、クリーニング手段を内蔵してあり、定期的に、あるいはベリファイ時の誤り率判定結果に応じて、光ヘッド光学系、光ディスクのクリーニングが行なわれ、装置を良好な動作状態に維持する。」（段落【００１６】）　
　特開平５−７４１２７号公報（以下「引用刊行物４」という。）には次の事項からなる発明が記載されている。
「この発明によるディスクライブラリ装置は、カートリッジクリーナにカートリッジを挿着して内蔵する光ディスクの表面をクリーニングし、ドライブクリーナを光ディスクドライブへ挿入して光ディスクドライブの内部の光学系をクリーニングするので、メインテナンスマンによらなくても光ディスクの表面や光ディスクドライブのレンズ系に付着した塵埃を除去することができる。　また、タイマによって計測したディスクドライブ装置の稼働時間が予め設定した時間に達したときに、光ディスクドライブにドライブクリーナを挿着して光ディスクドライブのレンズ系のクリーニングを行なったり、さらにタイマによって各カートリッジの光ディスクドライブに挿着されていた稼働時間を計測し、その稼働時間が予め設定した時間に達したカートリッジをカートリッジクリーナに挿入して光ディスクのクリーニングを行なったりすれば、メインテナンスマンによらなくても定期的に光ディスクの表面や光ディスクドライブのレンズ系に付着した塵埃を除去することができる。」（段落【０００６】【０００７】） 
　特開平５−１１４１５５号公報（以下「引用刊行物５」という。）には次の事項からなる発明が記載されている。
「さらに、光ディスクの反射光の強度が基準値以下の場合、光ディスククリーニング機構に光ディスクを清掃させる制御部によって、光ディスクの汚れを自動的に判断し清掃させることができる。　また、本発明の第２の手段によれば、複数のカートリッジを収納して、光ディスクに対して記録再生する光ディスクライブラリ装置において、光ディスクドライバの光学部材を清掃するドライバクリーニング機構によって、光ディスクドライバを外部に取出すことなく、その光学部材を清掃することができる。　さらに、ドライバクリーニング機構を、キャリッジによって搬送可能で、光ディスクドライバに挿入されて、ローディング位置で光学部材を清掃するクリーニングカートリッジとしたことにより、クリーニングカートリッジをキャリッジによって光ディスクドライバに搬送でき、クリーニングカートリッジによって光学部材を清掃させることができる。」（段落【００１５】〜【００１７】）
　特開平３−７８１７９号公報（以下「引用刊行物６」という。）には次の事項からなる発明が記載されている。
「エラー検出手段によって検出されるエラーが一定回数以上になると、制御手段が光ディスク運搬手段を制御して、光ディスクドライブ装置から光ディスククリーニング装置に光ディスクを移し、光ディスクの表面の汚れが除去される。」（第２頁右下欄１１〜１６行目）
　特開平３−１４２７４７号公報（以下「引用刊行物７」という。）には次の事項からなる発明が記載されている。
「ある一定期間の媒体の利用実績からその媒体に重み付けを行い、それによって集合光装置内の媒体の配置を変更することにより、使用頻度の高い媒体の移動時間を短くする効果があり、電子ファイリングシステムとしてデータの処理時間を短縮することができる。」　
　特開平５−１８２３３６号公報（以下「引用刊行物８」という。）には次の事項からなる発明が記載されている。　
「複数の光ディスクドライブに対するディスク交換を自動的に行う光ディスクオートチェンジャの制御装置において、　個々の前記光ディスクドライブがそれぞれ現在使用中であるか否かを示す第１のフラグ情報および運転不能状態にあるか否かを示す第２のフラグ情報を記憶するための記憶手段と、　前記光ディスクドライブの運転が開始されると前記記憶手段にこの光ディスクドライブが現在使用中であることを示す第１のフラグ情報を書き込む手段と、　運転中の光ディスクドライブに障害が発生した場合、前記記憶手段にこの光ディスクドライブが運転不能状態にあることを示す第２のフラグ情報を書き込む手段と、　前記光ディスクドライブへのディスク装填要求が発生したとき、前記記憶手段に記憶された各フラグ情報に基づき現在未使用でかつ運転可能な光ディスクドライブを判断して、この光ディスクドライブへのディスク装填を行うよう前記光ディスクオートチェンジャを制御する手段とを具備することを特徴とする光ディスクオートチェンジャの制御装置。」（特許請求の範囲）　                                                       　
４．比較・判断
　引用刊行物１〜８に記載された発明は、上記のとおりであり、そのいずれにも同じディスクを複数のドライブ装置に装填して受光量を検出することにより光ディスクの汚れを判別しようとする構成は記載も示唆もされていない。
　そして本願発明は、この発明を特定する事項の一部である「第１のドライブ装置が有するピックアップの受光部が前記ディスクから光信号を受光し、前記受光部の受光により光信号検出回路が受光量を判別し、　該受光量が所定の光量以下と判別した場合は、前記ディスク搬送手段により前記ディスクを前記第１のドライブ装置から第２のドライブ装置に搬送して装着し、　前記第２のドライブ装置においても受光量が所定の光量以下と判別した場合は、装置が前記ディスクの掃除を警告する表示を行う」という構成を有することにより、検出光量が所定値以下である場合の原因を判別でき、適切な掃除を可能にするという特有の効果を奏するものと認められる。
　したがって本願発明は、上記引用刊行物１〜８に基づいて当業者が容易に発明をすることができたものとすることはできない。
　
　なお、前置報告書において、「多数枚」を「２枚以上」と補正した点が新規事項である旨の記載があるが、本願発明は、ディスク再生装置の制御方法に関するものであり、ディスクの枚数は無関係であることは明らかであるとともに、段落【００１７】【００１８】の記載からみて、ディスクが２枚以上であれば明細書に記載されたとおりの動作を行うことができることは明らかであるから、「多数枚」が「２枚以上」を意味するものと認めることができる。
　したがって、この点の補正は、明細書に記載された事項の範囲内においてなされたものであるとともに、拒絶査定に記載された備考に示された事項に基づいて「多数」という不明りょうな記載の釈明に該当するものと認められる。
　
５．むすび
　以上のとおりであるから、本願発明は、引用刊行物及び原査定の理由によっては拒絶をすることができない。
　また他に拒絶の理由を発見しない。
　よって、結論のとおり審決する。